(57)【要約】      （修正有）【課題】移動体に搭載された通信装置と端末装置との通信設定の利便性を向上させる。【解決手段】通信制御システムは、通信装置が搭載された移動体（車両２）と、ユーザによって使用される端末装置（端末装置１）とを有する。端末装置は、移動体の出入口の解錠を指示する操作が行われた場合、解錠の認証に用いられる鍵情報と、端末装置と通信装置との無線通信の接続を確立する通信設定に必要な端末装置の無線接続情報とを、無線通信とは異なる他の無線通信により移動体へ送信する（Ｓ１）。移動体は、鍵情報を用いて認証を行い（Ｓ２）、認証に成功した場合に移動体の出入口を解錠する（Ｓ３）。通信装置は、端末装置の無線接続情報に基づいて、通信設定を実行する（Ｓ４）。【選択図】図４
2020141199.tif 000002
【特許請求の範囲】
【請求項１】
通信装置が搭載された移動体と、ユーザによって使用される端末装置とにおいて通信を行う通信制御システムであって、
前記端末装置は、
前記移動体の出入口の解錠を指示する操作が行われた場合、前記解錠の認証に用いられる鍵情報と、前記端末装置と前記通信装置との無線通信の接続を確立する通信設定に必要な前記端末装置の無線接続情報とを、前記無線通信とは異なる他の無線通信により前記移動体へ送信し、
前記移動体は、
前記鍵情報を用いて前記認証を行い、前記認証に成功した場合に前記移動体の出入口を解錠し、
前記通信装置は、
前記端末装置の無線接続情報に基づいて、前記通信設定を実行する、
通信制御システム。
【請求項２】
移動体に搭載された通信装置と無線通信を行う第１通信部と、
前記移動体と前記無線通信とは異なる他の無線通信を行う第２通信部と、
前記移動体の出入口の解錠を指示する操作が行われた場合、前記解錠の認証に用いられる鍵情報と、前記無線通信の接続を確立する通信設定に必要な前記端末装置の無線接続情報と、を前記移動体へ送信するように前記第２通信部を制御する制御部と、
を有する端末装置。
【請求項３】
前記制御部は、
前記鍵情報および前記端末装置の無線接続情報を同時に前記移動体へ送信するように前記第２通信部を制御する、
請求項２に記載の端末装置。
【請求項４】
前記移動体の外部に設けられたサーバ装置と、前記サーバ装置と無線通信を行う第３通信部をさらに有し、
前記制御部は、
前記端末装置の識別情報を前記サーバ装置へ送信するように前記第３通信部を制御し、
前記第３通信部は、
前記サーバ装置において前記端末装置の識別情報に基づいて特定された前記端末装置の無線接続情報を受信する、
請求項２または３に記載の端末装置。
【請求項５】
前記制御部は、
前記通信設定の実行前に、前記通信設定の実行を許可してよいか否かを前記端末装置のユーザに問い合わせる画面を表示するように、前記端末装置の表示部を制御し、
前記通信設定の実行を許可する操作が前記ユーザによって行われた場合、前記端末装置の無線接続情報に基づいて前記通信設定を実行するように前記第１通信部を制御する、
請求項２から４のいずれか１項に記載の端末装置。
【請求項６】
前記制御部は、
前記通信設定の実行前に、前記第１通信部が前記通信装置と行う無線通信の種類を前記端末装置のユーザが選択可能な画面を表示するように、前記端末装置の表示部を制御し、
前記無線通信の種類を選択する操作が前記ユーザによって行われた場合、選択された種類に対応する無線通信の接続を確立する通信設定を実行するように前記第１通信部を制御する、
請求項２から５のいずれか１項に記載の端末装置。
【請求項７】
ユーザによって使用される端末装置と無線通信を行う通信装置と、
前記端末装置と前記無線通信とは異なる他の無線通信を行う無線通信部と、
前記無線通信部が前記端末装置から受信した鍵情報を用いて認証を行い、前記認証に成功した場合に前記移動体の出入口を解錠する制御部と、
を有し、
前記通信装置は、
前記無線通信部が前記端末装置から受信した前記端末装置の無線接続情報に基づいて、前記無線通信の接続を確立する通信設定を実行する、
移動体。
【請求項８】
前記無線通信部は、
前記鍵情報および前記端末装置の無線接続情報を前記端末装置から同時に受信する、
請求項７に記載の移動体。
【請求項９】
外部に設けられたサーバ装置とネットワーク通信を行うネットワーク通信部と、
ユーザによって使用される端末装置と無線通信を行う通信装置と、
前記端末装置と、前記ネットワーク通信および前記無線通信とは異なる他の無線通信を行う無線通信部と、
前記無線通信部が前記端末装置から受信した鍵情報を用いて認証を行い、前記認証に成功した場合に前記移動体の出入口を解錠する制御部と、
を有し、
前記制御部は、
前記無線通信部が前記端末装置から受信した前記端末装置の識別情報を前記サーバ装置へ送信するように前記ネットワーク通信部を制御し、
前記ネットワーク通信部は、
前記サーバ装置において前記端末装置の識別情報に基づいて特定された前記端末装置の無線接続情報を受信し、
前記通信装置は、
前記ネットワーク通信部が前記サーバ装置から受信した前記端末装置の無線接続情報に基づいて、前記無線通信の接続を確立する通信設定を実行する、
移動体。
【請求項１０】
前記制御部は、
前記移動体の出入口の解錠が行われた場合、前記通信設定の実行を許可してよいか否かを前記ユーザに問い合わせる画面を表示するように、前記移動体に搭載された表示装置を制御し、
前記通信設定の実行を許可する操作が行われた場合、前記端末装置の無線接続情報に基づいて前記通信設定を実行するように前記通信装置を制御する、
請求項７から９のいずれか１項に記載の移動体。
【請求項１１】
前記制御部は、
前記移動体の出入口の解錠が行われた場合、前記通信装置が前記端末装置と行う無線通信の種類を前記端末装置のユーザが選択可能な画面を表示するように、前記移動体に搭載された表示部を制御し、
前記無線通信の種類を選択する操作が行われた場合、選択された種類に対応する無線通信の接続を確立する通信設定を実行するように前記通信装置を制御する、
請求項７から１０のいずれか１項に記載の移動体。
【請求項１２】
移動体に搭載された通信装置と無線通信を行う第１通信部、および、前記移動体と前記無線通信とは異なる他の無線通信を行う第２通信部を制御するコンピュータに実行させるためのプログラムであって、
前記コンピュータに、
前記移動体の出入口の解錠を指示する操作が行われた場合、前記解錠の認証に用いられる鍵情報と、前記無線通信の接続を確立する通信設定に必要な前記端末装置の無線接続情報と、を前記移動体へ送信するように前記第２通信部を制御する処理を実行させる、
プログラム。
【請求項１３】
ユーザによって使用される端末装置と無線通信を行う通信装置を有する移動体に搭載され、前記無線通信とは異なる他の無線通信により前記端末装置と通信するコンピュータに実行させるためのプログラムであって、
前記コンピュータに、
前記他の無線通信によって前記端末装置から受信した鍵情報を用いた認証の結果、前記移動体の出入口が解錠された場合、前記他の無線通信によって前記端末装置から受信した前記端末装置の無線接続情報に基づいて、前記無線通信の接続を確立する通信設定の処理を実行させる、
プログラム。
【発明の詳細な説明】
【技術分野】
【０００１】
本開示は、通信制御システム、端末装置、移動体、およびプログラムに関する。
【背景技術】
【０００２】
例えば特許文献１には、スマートフォン等の端末装置と、他の装置との間で、近距離無線通信（Near Field Communication：ＮＦＣ）を用いて認証を実現する技術が開示されている。そして、近年では、近距離無線通信を用いた認証により車両のドアを解錠する技術が実用化されつつある。
【先行技術文献】
【特許文献】
【０００３】
【特許文献１】特許第６０１７７３７号公報
【発明の概要】
【発明が解決しようとする課題】
【０００４】
ところで、現在、車両に搭載された車載通信装置（例えば、カーナビゲーションシステム等）と、端末装置（例えば、スマートフォン等）との間で無線通信を行うことが知られている。その無線通信が開始されるにあたり、車載通信装置と端末装置との間で無線接続を確立する設定（以下、通信設定という）が行われるが、ユーザは、例えば端末装置において通信設定に関する操作を行う必要がある。
【０００５】
本開示の一態様の目的は、移動体に搭載された通信装置と、端末装置との通信設定における利便性を向上させることができる通信制御システム、端末装置、移動体、およびプログラムを提供することである。
【課題を解決するための手段】
【０００６】
本開示の一態様に係る通信制御システムは、通信装置が搭載された移動体と、ユーザによって使用される端末装置とにおいて通信を行う通信制御システムであって、前記端末装置は、前記移動体の出入口の解錠を指示する操作が行われた場合、前記解錠の認証に用いられる鍵情報と、前記端末装置と前記通信装置との無線通信の接続を確立する通信設定に必要な前記端末装置の無線接続情報とを、前記無線通信とは異なる他の無線通信により前記移動体へ送信し、前記移動体は、前記鍵情報を用いて前記認証を行い、前記認証に成功した場合に前記移動体の出入口を解錠し、前記通信装置は、前記端末装置の無線接続情報に基づいて、前記通信設定を実行する。
【０００７】
本開示の一態様に係る端末装置は、移動体に搭載された通信装置と無線通信を行う第１通信部と、前記移動体と前記無線通信とは異なる他の無線通信を行う第２通信部と、前記移動体の出入口の解錠を指示する操作が行われた場合、前記解錠の認証に用いられる鍵情報と、前記無線通信の接続を確立する通信設定に必要な前記端末装置の無線接続情報と、を前記移動体へ送信するように前記第２通信部を制御する制御部と、を有する。
【０００８】
本開示の一態様に係る移動体は、ユーザによって使用される端末装置と無線通信を行う通信装置と、前記端末装置と前記無線通信とは異なる他の無線通信を行う無線通信部と、前記無線通信部が前記端末装置から受信した鍵情報を用いて認証を行い、前記認証に成功した場合に前記移動体の出入口を解錠する制御部と、を有し、前記通信装置は、前記無線通信部が前記端末装置から受信した前記端末装置の無線接続情報に基づいて、前記無線通信の接続を確立する通信設定を実行する。
【０００９】
本開示の一態様に係る移動体は、外部に設けられたサーバ装置とネットワーク通信を行うネットワーク通信部と、ユーザによって使用される端末装置と無線通信を行う通信装置と、前記端末装置と、前記ネットワーク通信および前記無線通信とは異なる他の無線通信を行う無線通信部と、前記無線通信部が前記端末装置から受信した鍵情報を用いて認証を行い、前記認証に成功した場合に前記移動体の出入口を解錠する制御部と、を有し、前記制御部は、前記無線通信部が前記端末装置から受信した前記端末装置の識別情報を前記サーバ装置へ送信するように前記ネットワーク通信部を制御し、前記ネットワーク通信部は、前記サーバ装置において前記端末装置の識別情報に基づいて特定された前記端末装置の無線接続情報を受信し、前記通信装置は、前記ネットワーク通信部が前記サーバ装置から受信した前記端末装置の無線接続情報に基づいて、前記無線通信の接続を確立する通信設定を実行する。
【００１０】
本開示の一態様に係るプログラムは、移動体に搭載された通信装置と無線通信を行う第１通信部、および、前記移動体と前記無線通信とは異なる他の無線通信を行う第２通信部を制御するコンピュータに実行させるためのプログラムであって、前記コンピュータに、前記移動体の出入口の解錠を指示する操作が行われた場合、前記解錠の認証に用いられる鍵情報と、前記無線通信の接続を確立する通信設定に必要な前記端末装置の無線接続情報と、を前記移動体へ送信するように前記第２通信部を制御する処理を実行させる。
【００１１】
本開示の一態様に係るプログラムは、ユーザによって使用される端末装置と無線通信を行う通信装置を有する移動体に搭載され、前記無線通信とは異なる他の無線通信により前記端末装置と通信するコンピュータに実行させるためのプログラムであって、前記コンピュータに、前記他の無線通信によって前記端末装置から受信した鍵情報を用いた認証の結果、前記移動体の出入口が解錠された場合、前記他の無線通信によって前記端末装置から受信した前記端末装置の無線接続情報に基づいて、前記無線通信の接続を確立する通信設定の処理を実行させる。
【発明の効果】
【００１２】
本開示によれば、移動体に搭載された通信装置と端末装置との通信設定の利便性を向上させることができる。
【図面の簡単な説明】
【００１３】
【図１】本開示の実施の形態に係る通信制御システムの構成の一例を模式的に示す図
【図２】本開示の実施の形態に係る端末装置の構成の一例を示すブロック図
【図３】本開示の実施の形態に係る車両の構成の一例を示すブロック図
【図４】本開示の実施の形態に係る端末装置および車両の動作の一例を示すシーケンスチャート
【図５】本開示の変形例２に係るサーバ装置の構成の一例を示すブロック図
【図６】本開示の変形例２に係る端末装置および車両の動作の一例を示すシーケンスチャート
【発明を実施するための形態】
【００１４】
本開示に至った知見について説明する。
【００１５】
上述したとおり、車載通信装置と端末装置との間で無線通信を開始させるために、ユーザは、例えば端末装置において通信設定に関する操作を行う必要があった。
【００１６】
一方で、最近では、車両を所有せずに共用することを望むユーザが多くなり、例えばカーシェアリングやレンタカーの需要が高まっている。このように１つの車両を複数のユーザで共用する場合、各ユーザは、乗車の度に、通信設定に関する操作を行うことになり、利便性の面で改善の余地があった。
【００１７】
本開示の一態様の目的は、移動体に搭載された通信装置と、端末装置との通信設定における利便性を向上させることである。
【００１８】
以下、本開示の実施の形態について、図面を参照しながら説明する。
【００１９】
まず、本実施の形態に係る通信制御システムＳの構成について、図１を用いて説明する。図１は、通信制御システムＳの構成の一例を模式的に示す図である。
【００２０】
図１に示すように、通信制御システムＳは、端末装置１と、車両２とを有する。
【００２１】
端末装置１は、車両２に乗車するユーザによって使用される装置である。端末装置１としては、例えば、スマートフォン、スマートウォッチ等の携帯端末が挙げられる。
【００２２】
車両２（移動体の一例）は、複数のユーザによって共用される自動車である。車両２は、例えば、カーシェアリングまたはレンタカーで用いられる自動車であってもよいし、自家用車であってもよい。
【００２３】
本実施の形態では、車両２は、カーシェアリングまたはレンタカーを運営する事業者（以下、単に事業者という）によって所有され、顧客である複数のユーザによって共用される場合を例に挙げて説明する。
【００２４】
以上、通信制御システムＳの構成について説明した。
【００２５】
次に、端末装置１の構成について、図２を用いて説明する。図２は、端末装置１の構成の一例を示すブロック図である。
【００２６】
図２に示すように、端末装置１は、制御部１００、記憶部１１０、第１無線通信部１２０、第２無線通信部１３０、第３無線通信部１４０、操作部１５０、および表示部１６０を有する。
【００２７】
記憶部１１０は、種々の情報を記憶するデバイス（例えば、メモリ等）である。
【００２８】
記憶部１１０が記憶する情報としては、例えば、鍵情報、無線接続情報等が挙げられる。
【００２９】
ここで、各情報について説明する。
【００３０】
鍵情報は、車両２のドアの解錠の認証に用いられる情報であり、例えば、複数の文字（記号を含んでもよい）からなる文字列で構成される。鍵情報は、ユーザ毎に異なる文字列が設定されてもよいし、同一のユーザであっても車両２の使用の度に異なる文字列が設定されてもよい。この鍵情報は、例えば、端末装置１のユーザが車両２に乗車する前に、事業者のコンピュータ（図示略）から端末装置１へ配信され、記憶部１１０に記憶される。この鍵情報を以下では「第１鍵情報」という。
【００３１】
無線接続情報は、端末装置１と、後述する車載通信装置２５０（図３参照）との無線接続を確立する通信設定（以下、単に通信設定ともいう）に必要な情報である。例えば、無線接続情報は、ＩＤ、ＭＡＣ（Media Access Control）アドレス、セキュリティキー、またはパスキー等である。端末装置１の無線接続情報は、例えば、端末装置１が製品出荷される前に、記憶部１１０に記憶される。この端末装置１の無線接続情報を以下では「第１無線接続情報」という。
【００３２】
無線接続は、例えば、Ｗｉ−Ｆｉ（登録商標）接続であってもよいし、Bluetooth（登録商標）接続であってもよいが、それらに限定されない。
【００３３】
以上、各情報について説明した。以下、図２に説明に戻る。
【００３４】
第１無線通信部１２０は、所定のネットワークを介して他の装置（例えば、事業者のコンピュータや後述するサーバ装置３等）と通信を行うデバイス（例えば、アンテナおよび通信回路等）である。
【００３５】
本実施の形態では、第１無線通信部１２０がインターネット通信を行う場合を例に挙げて説明するが、これに限定されず、第１無線通信部１２０は、例えば、ＬＡＮ（Local Area Network）通信やＷＡＮ（Wide Area Network）通信等を行ってもよい。
【００３６】
例えば、第１無線通信部１２０は、事業者のコンピュータから配信される鍵情報を受信する。
【００３７】
第２無線通信部１３０は、車両２との間で近距離無線通信（ＮＦＣ）を行うデバイス（例えば、アンテナおよび通信回路等）である。近距離無線通信における通信距離は、例えば数１０ｃｍ以下である。近距離無線通信は、「他の無線通信」の一例に相当する。
【００３８】
例えば、第２無線通信部１３０は、鍵情報および第１無線接続情報を車両２へ送信する。例えば、鍵情報および第１無線接続情報は、第２無線通信部１３０から同時に送信されてもよい。
【００３９】
第３無線通信部１４０は、車載通信装置２５０と無線通信を行うデバイス（例えば、アンテナおよび通信回路等）である。
【００４０】
第３無線通信部１４０が行う無線通信は、第２無線通信部１３０が行う近距離無線通信と異なるものであればよく、例えば、Ｗｉ−Ｆｉ（登録商標）通信であってもよいし、Bluetooth（登録商標）通信であってもよい。
【００４１】
例えば、第３無線通信部１４０は、制御部１００の制御により、操作部１５０が受け付けた車載通信装置２５０への指示の内容を示す情報（以下、指示情報という）を、車載通信装置２５０へ送信する。
【００４２】
なお、上記第１無線通信部１２０は、「第３通信部」の一例に相当する。また、上記第２無線通信部１３０は、「第２通信部」の一例に相当する。また、上記第３無線通信部１４０は、「第１通信部」の一例に相当する。
【００４３】
操作部１５０は、端末装置１のユーザによる種々の操作を受け付けるデバイス（例えば、物理ボタンやタッチパネル等）である。
【００４４】
操作部１５０が受け付ける操作としては、例えば、車載通信装置２５０への指示（例えば、後述する出力用データの出力の指示等）を行う操作等が挙げられる。
【００４５】
表示部１６０は、種々の情報を表示するデバイス（例えば、タッチパネル等）である。
【００４６】
制御部１００は、上述した記憶部１１０、第１無線通信部１２０、第２無線通信部１３０、第３無線通信部１４０、操作部１５０、および表示部１６０を制御するデバイス（例えば、ＣＰＵ（Central Processing Unit）等）である。
【００４７】
例えば、制御部１００は、第１無線通信部１２０が事業者のコンピュータから受信した鍵情報を記憶部１１０に記憶させる。
【００４８】
上記以外の制御部１００の動作の詳細については、後述する。
【００４９】
以上、端末装置１の構成について説明した。
【００５０】
次に、車両２の構成について、図３を用いて説明する。図３は、車両２の構成の一例を示すブロック図である。
【００５１】
図３に示すように、車両２は、制御部２００、記憶部２１０、第１無線通信部２２０、第２無線通信部２３０、ドアロック部２４０、および車載通信装置２５０を有する。
【００５２】
記憶部２１０は、種々の情報を記憶するデバイス（例えば、メモリやハードディスク等）である。
【００５３】
記憶部２１０が記憶する情報としては、例えば、第１鍵情報、第２鍵情報等が挙げられる。第２鍵情報とは、端末装置１のユーザが車両２に乗車する前に、事業者のコンピュータから車両２へ配信される鍵情報である。
【００５４】
第１無線通信部２２０（ネットワーク通信部の一例）は、所定のネットワークを介して他の装置（例えば、事業者のコンピュータや後述するサーバ装置３等）と通信を行うデバイス（例えば、アンテナおよび通信回路等）である。
【００５５】
本実施の形態では、第１無線通信部２２０がインターネット通信を行う場合を例に挙げて説明するが、これに限定されず、第１無線通信部２２０は、ＬＡＮ（Local Area Network）通信やＷＡＮ（Wide Area Network）通信等を行ってもよい。
【００５６】
例えば、第１無線通信部２２０は、端末装置１のユーザが車両２に乗車する前に、事業者のコンピュータから配信される第２鍵情報を受信する。
【００５７】
第２無線通信部２３０（無線通信部の一例）は、端末装置１との間で近距離無線通信（ＮＦＣ）を行うデバイス（例えば、アンテナおよび通信回路等）である。
【００５８】
例えば、第２無線通信部２３０は、端末装置１から送信された第１鍵情報および第１無線接続情報を受信する。例えば、鍵情報および無線接続情報は、第２無線通信部１３０において同時に受信されてもよい。
【００５９】
また、第２無線通信部２３０は、例えば車両２のドア等において、端末装置１のユーザが第２無線通信部２３０の設置位置を認識できるように設けられる。
【００６０】
ドアロック部２４０は、制御部２００の制御により、車両２のドア（出入口の一例）を解錠したり、施錠したりする装置（例えば、アクチュエータ等）である。
【００６１】
制御部２００は、上述した記憶部２１０、第１無線通信部２２０、第２無線通信部２３０、ドアロック部２４０、および、後述する車載通信装置２５０を制御するデバイス（例えば、ＣＰＵ等）である。
【００６２】
例えば、制御部２００は、第１無線通信部２２０が事業者のコンピュータから受信した第２鍵情報を記憶部２１０に記憶させる。
【００６３】
上記以外の制御部２００の動作の詳細については、後述する。
【００６４】
車載通信装置２５０（移動体に搭載される通信装置の一例）は、端末装置１と無線通信を行う装置である。車載通信装置２５０としては、例えば、カーナビゲーションシステム、ディスプレイオーディオ等が挙げられるが、これらに限定されない。
【００６５】
車載通信装置２５０は、制御部２５１、記憶部２５２、出力部２５３、および第３無線通信部２５４を有する。
【００６６】
記憶部２５２は、種々の情報を記憶するデバイス（例えば、メモリやハードディスク等）である。
【００６７】
記憶部２５２が記憶する情報としては、例えば、第１無線接続情報、第２無線接続情報、出力用データ等が挙げられる。
【００６８】
第２無線接続情報は、例えば、車載通信装置２５０が製品出荷される前に、記憶部２５２に記憶される車載通信装置２５０の無線接続情報である。第２無線接続情報は、上述した第１無線接続情報と同様に、例えば、ＩＤ、ＭＡＣ（Media Access Control）アドレス、セキュリティキー、またはパスキー等である。
【００６９】
出力用データは、例えば、後述する出力部２５３から出力される画像や音のデータである。
【００７０】
出力部２５３は、制御部２５１の制御により、記憶部２５２から読み出された出力用データを出力するデバイス（例えば、タッチパネル、ディスプレイ、スピーカ等）である。すなわち、出力部２５３は、車両Ｖに搭載された表示装置および音声出力装置を含む構成であるということができるが、表示装置または音声出力装置のいずれか一方で構成されてもよい。
【００７１】
第３無線通信部２５４は、端末装置１（第３無線通信部１４０）と無線通信を行うデバイス（例えば、アンテナおよび通信回路等）である。
【００７２】
第３無線通信部２５４が行う無線通信は、第２無線通信部２３０が行う近距離無線通信と異なるものあればよく、例えば、Ｗｉ−Ｆｉ（登録商標）通信であってもよいし、Bluetooth（登録商標）通信であってもよい。
【００７３】
例えば、第３無線通信部２５４は、端末装置１から送信された指示情報（車載通信装置２５０への指示の内容を示す情報）を受信する。
【００７４】
制御部２５１は、上述した記憶部２５２、出力部２５３、および第３無線通信部２５４を制御する。
【００７５】
例えば、制御部２５１は、第３無線通信部２５４が受信した指示情報に基づいて、記憶部２５２から出力用データを読み出し、その出力用データを出力するように出力部２５３を制御する。
【００７６】
上記以外の制御部２５１の動作の詳細については、後述する。
【００７７】
以上、車両２の構成について説明した。
【００７８】
なお、図２、図３において図示は省略しているが、端末装置１、車両２、および車載通信装置２５０は、それぞれ、ハードウェアとして、例えば、ＣＰＵ（Central Processing Unit）、コンピュータプログラムを格納したＲＯＭ（Read Only Memory）、ＲＡＭ（Random Access Memory）を有する。本実施の形態および後述の変形例で説明する端末装置１、車両２、および車載通信装置２５０の各機能は、ＣＰＵがＲＯＭから読み出したコンピュータプログラムを実行することにより実現される。また、このコンピュータプログラムは、所定の記録媒体に記録されて、ユーザ等に提供されてもよい。
【００７９】
次に、端末装置１および車両２の動作について、図４を用いて説明する。図４は、端末装置１および車両２の動作の一例を示すシーケンスチャートである。
【００８０】
図４に示す動作は、例えば、車両２に乗車しようとする端末装置１のユーザが、車両２のドアの解錠を指示する操作（以下、解錠指示操作という）を行った際に開始される。解錠指示操作は、例えば、端末装置１を車両２における第２無線通信部２３０の設置位置に近付ける動作である。また、図４に示す動作の開始にあたり、端末装置１の記憶部１１０には、第１鍵情報および第１無線接続情報が記憶されており、車両２の記憶部２１０には、第２鍵情報が記憶されており、車載通信装置２５０の記憶部２５２には、第２無線接続情報が記憶されているとする。
【００８１】
まず、端末装置１の第２無線通信部１３０は、第１鍵情報および第１無線接続情報を近距離無線通信により車両２へ送信する（ステップＳ１）。
【００８２】
具体的には、まず、制御部１００は、記憶部１１０から第１鍵情報および第１無線接続情報を読み出す。次に、制御部１００は、第１鍵情報および第１無線接続情報を（例えば、同時に）車両２へ送信するように第２無線通信部１３０を制御する。この制御により、第２無線通信部１３０は、近距離無線通信により第１鍵情報および第１無線接続情報を車両２へ送信する。そして、車両２の第２無線通信部２３０は、第１鍵情報および第１無線接続情報を受信する。そして、制御部２００は、第１鍵情報を記憶部２１０に記憶させ、第１無線接続情報を車載通信装置２５０（制御部２５１）へ出力する。
【００８３】
次に、車両２の制御部２００は、鍵認証を行う（ステップＳ２）。
【００８４】
具体的には、まず、制御部２００は、記憶部２１０から第１鍵情報および第２鍵情報を読み出す。次に、制御部２００は、第１鍵情報と第２鍵情報とが一致する否かを判定する。
【００８５】
２つの鍵情報が一致した場合（換言すれば、鍵認証が成功した場合）、制御部２００は、車両２のドアを解錠するようにドアロック部２４０を制御する。これにより、ドアロック部２４０は、車両２のドアを解錠する（ステップＳ３）。よって、端末装置１のユーザは、車両２に乗り込むことができる。
【００８６】
次に、車載通信装置２５０の制御部２５１は、第１無線接続情報および第２無線接続情報に基づいて通信設定を実行する（ステップＳ４）。
【００８７】
具体的には、まず、制御部２５１は、制御部２００から受け取った第１無線接続情報を、記憶部２５２に記憶されている第２無線接続情報に紐付けて記憶させる。次に、制御部２５１は、記憶部２５２から第２無線接続情報を読み出し、端末装置１へ送信するように第３無線通信部２５４を制御する。第３無線通信部２５４から送信された第２無線接続情報は、端末装置１の第３無線通信部１４０により受信され、記憶部１１０に記憶される。これにより、端末装置１と車載通信装置２５０との間で無線接続を確立する通信設定が行われ、端末装置１と車載通信装置２５０との間で無線通信が可能になる。
【００８８】
なお、図４では、ドアの解錠（ステップＳ３）の後で通信設定（ステップＳ４）が行われる場合を例に挙げて説明したが、ドアの解錠（ステップＳ３）および通信設定（ステップＳ４）は、同時に行われてもよい。
【００８９】
以上、端末装置１および車両２の動作について説明した。
【００９０】
ここまで詳述したように、本実施の形態では、車両２のドアの解錠とともに、端末装置１と車載通信装置２５０との通信設定が行われる。よって、ユーザが通信設定に関する操作を行う手間を省くことができる。したがって、通信設定の利便性を向上させることができる。
【００９１】
なお、本開示は、上記実施の形態の説明に限定されず、その趣旨を逸脱しない範囲において種々の変形が可能である。以下、変形例について説明する。
【００９２】
［変形例１］
実施の形態で説明した車両２の制御部２００の機能は、例えば、セントラルＥＣＵ（Electronic Control Unit）とドア解錠ＥＣＵとで実現されてもよい。
【００９３】
セントラルＥＣＵは、端末装置１から受信した情報の分配を行う。例えば、セントラルＥＣＵは、第１鍵情報をドア解錠ＥＣＵへ出力し、第１無線接続情報を車載通信装置２５０（制御部２５１）へ出力する。
【００９４】
ドア解錠ＥＣＵは、セントラルＥＣＵから受け取った第１鍵情報および記憶部２１０から読み出した第２鍵情報を用いて上述した鍵認証を行い、鍵認証に成功した場合に車両２のドアを解錠するようにドアロック部２４０を制御する。
【００９５】
［変形例２］
実施の形態では、車両２が端末装置１から近距離無線通信により第１無線接続情報を受信する場合を例に挙げて説明したが、車両２はサーバ装置から第１無線接続情報を取得してもよい。この場合について、図５、図６を用いて以下に説明する。図５は、本変形例に係るサーバ装置３の構成の一例を示すブロック図である。図６は、本変形例に係る端末装置１、車両２、およびサーバ装置３の動作の一例を示すシーケンスチャートである。
【００９６】
まず、図５を用いて、サーバ装置３の構成について説明する。
【００９７】
記憶部３１０は、種々の情報を記憶するデバイス（例えば、メモリやハードディスク等）である。
【００９８】
例えば、記憶部３１０は、端末装置１の識別情報（以下、単に識別情報という）と第１無線接続情報とを対応付けて記憶している。
【００９９】
第１無線通信部３２０は、所定のネットワークを介して他の装置（例えば、端末装置１や車両２等）と通信を行うデバイス（例えば、アンテナおよび通信回路等）である。
【０１００】
本実施の形態では、第１無線通信部３２０がインターネット通信を行う場合を例に挙げて説明するが、これに限定されず、第１無線通信部３２０は、ＬＡＮ（Local Area Network）通信やＷＡＮ（Wide Area Network）通信等を行ってもよい。
【０１０１】
例えば、第１無線通信部３２０は、車両２から識別情報を受信し、第１無線接続情報を車両２へ送信する。
【０１０２】
制御部３００は、上述した記憶部３１０および第１無線通信部３２０を制御する。
【０１０３】
制御部３００の動作の詳細については、後述する。
【０１０４】
なお、図５において図示は省略しているが、サーバ装置３は、ハードウェアとして、例えば、ＣＰＵ（Central Processing Unit）、コンピュータプログラムを格納したＲＯＭ（Read Only Memory）、ＲＡＭ（Random Access Memory）を有する。本変形例および後述の変形例で説明するサーバ装置３の各機能は、ＣＰＵがＲＯＭから読み出したコンピュータプログラムを実行することにより実現される。また、このコンピュータプログラムは、所定の記録媒体に記録されて、ユーザ等に提供されてもよい。
【０１０５】
以上、サーバ装置３の構成について説明した。
【０１０６】
次に、図６を用いて、端末装置１、車両２、およびサーバ装置３の動作について説明する。
【０１０７】
図６に示す動作は、例えば、車両２に乗車しようとする端末装置１のユーザが、解錠指示操作を行った際に開始される。また、図６に示す動作の開始にあたり、端末装置１の記憶部１１０には、第１鍵情報および識別情報が記憶されており、車両２の記憶部２１０には、第２鍵情報が記憶されており、車載通信装置２５０の記憶部２５２には、第２無線接続情報が記憶されているとする。また、サーバ装置３の記憶部３１０には、識別情報と第１無線接続情報とが対応付けて記憶されているとする。記憶部１１０に記憶されている識別情報は、端末装置１の識別情報であり、例えば、第１無線通信部１２０が事業者のコンピュータから事前に受信したものである。また、記憶部３１０に記憶されている第１鍵情報および第１無線接続情報は、例えば、第１無線通信部３２０が事業者のコンピュータから事前に受信したものである。
【０１０８】
まず、端末装置１の第２無線通信部１３０は、第１鍵情報および識別情報を近距離無線通信により車両２へ送信する（ステップＳ１１）。
【０１０９】
具体的には、まず、制御部１００は、記憶部１１０から第１鍵情報および識別情報を読み出す。次に、制御部１００は、第１鍵情報および識別情報を車両２へ送信するように第２無線通信部１３０を制御する。この制御により、第２無線通信部１３０は、近距離無線通信により第１鍵情報および識別情報を車両２へ送信する。そして、車両２の第２無線通信部２３０は、第１鍵情報および識別情報を受信する。また、制御部２００は、第１鍵情報および識別情報を記憶部２１０に記憶させる。
【０１１０】
ステップＳ１２〜Ｓ１３は、上述した図４のステップＳ２〜Ｓ３と同様であるので、ここでの説明は省略する。
【０１１１】
次に、車両２の第１無線通信部２２０は、識別情報をインターネット通信によりサーバ装置３へ送信する（ステップＳ１４）。
【０１１２】
具体的には、まず、制御部２００は、記憶部２１０から識別情報を読み出す。次に、制御部２００は、識別情報をサーバ装置３へ送信するように第１無線通信部２２０を制御する。この制御により、第１無線通信部２２０は、インターネット通信により識別情報をサーバ装置３へ送信する。そして、サーバ装置３の第１無線通信部３２０は、識別情報を受信する。
【０１１３】
次に、サーバ装置３の制御部３００は、第１無線通信部３２０が車両２から受信した識別情報に基づいて、記憶部３１０から第１無線接続情報読み出す（ステップＳ１５）。
【０１１４】
具体的には、制御部３００は、記憶部３１０から、車両２から受信した識別情報に対応付けられている第１無線接続情報を読み出す。
【０１１５】
次に、第１無線通信部３１０は、第１無線接続情報をインターネット通信により車両２へ送信する（ステップＳ１６）。
【０１１６】
具体的には、制御部３００は、記憶部３１０から読み出した第１無線接続情報を車両２へ送信するように第１無線通信部３２０を制御する。この制御により、第１無線通信部３２０は、インターネット通信により第１無線接続情報を車両２へ送信する。そして、車両２の第１無線通信部２２０は、第１無線接続情報を受信する。そして、制御部２００は、第１無線接続情報を車載通信装置２５０（制御部２５１）へ出力する。
【０１１７】
ステップＳ１７は、上述した図４のステップＳ４と同様であるので、ここでの説明は省略する。
【０１１８】
以上、端末装置１、車両２、およびサーバ装置３の動作について説明した。
【０１１９】
なお、上記説明では、車両２が識別情報をサーバ装置３へ送信する場合を例に挙げて説明したが、これに限定されない。例えば、端末装置１の制御部１００が、識別情報をサーバ装置３へ送信するように第１無線通信部１２０を制御してもよい。この場合、サーバ装置３の制御部３００は、端末装置１から受信した識別情報に対応付けられている第１無線接続情報を記憶部３１０から読み出し、その第１無線接続情報を端末装置１へ送信するように第１無線通信部３２０を制御する。そして、端末装置１の制御部１００は、サーバ装置３から受信した第１無線接続情報と、第１鍵情報とを、近距離無線通信により車両２へ送信する。
【０１２０】
このように、本変形例でも、実施の形態と同様に、車両２のドアの解錠とともに、端末装置１と車載通信装置２５０との通信設定が行われる。よって、ユーザが通信設定に関する操作を行う手間を省くことができる。したがって、通信設定の利便性を向上させることができる。また、端末装置１が第１無線接続情報を記憶する必要がないため、記憶部１１０の空き容量を確保できる。
【０１２１】
［変形例３］
実施の形態および各変形例の鍵認証において２つの鍵情報が一致しなかった場合（換言すれば、鍵認証が失敗した場合）、制御部２００は、鍵認証に失敗した旨を示す失敗通知情報を端末装置１へ送信するように第２無線通信部２３０を制御してもよい。これにより、失敗通知情報は、第２無線通信部２３０から近距離無線通信により端末装置１へ送信される。端末装置１の制御部１００は、第２無線通信部１３０が失敗通知情報を受信した場合、鍵認証に失敗した旨を示す画像を表示するように表示部１６０を制御してもよい。または、制御部１００は、鍵認証に失敗した旨を示す音声を出力するように端末装置１の音声出力部（図示略。例えば、スピーカ）を制御してもよい。これにより、端末装置１のユーザは、鍵認証に失敗したことを認識できる。
【０１２２】
［変形例４］
実施の形態および各変形例において、車両２のドアが解錠された旨や、通信設定が完了した旨を端末装置１のユーザに通知してもよい。この具体例について以下に説明する。
【０１２３】
例えば、車両２の制御部２００は、車両２のドアが解錠された後、その旨を示す解錠通知情報を端末装置１へ送信するように第２無線通信部２３０を制御する。これにより、第２無線通信部２３０は、近距離無線通信により解錠通知情報を端末装置１へ送信する。
【０１２４】
そして、端末装置１の制御部１００は、第２無線通信部１３０が解錠通知情報を受信した場合、車両２のドアが解錠された旨を示す画像を表示するように表示部１６０を制御してもよい。または、制御部１００は、車両２のドアが解錠された旨を示す音声を出力するように端末装置１の音声出力部を制御してもよい。または、制御部１００は、端末装置１のバイブレーション機能を作動させてもよいし、端末装置１のインジケータランプ（図示略）を点灯（点滅を含む）させてもよい。
【０１２５】
なお、制御部２００は、車両２に設けられたランプ（図示略。例えば、ルームランプ、ハザードランプ等）を点灯（点滅を含む）させてもよい。
【０１２６】
また、例えば、車載通信装置２５０の制御部２５１は、通信設定が完了した場合、その旨を車両２の制御部２００へ通知する。そして、制御部２００は、通信設定が完了した旨を示す完了通知情報を端末装置１へ送信するように第２無線通信部２３０を制御する。これにより、第２無線通信部２３０は、近距離無線通信により完了通知情報を端末装置１へ送信する。
【０１２７】
そして、端末装置１の制御部１００は、第２無線通信部１３０が完了通知情報を受信した場合、通信設定が完了した旨を示す画像を表示するように表示部１６０を制御してもよい。または、制御部１００は、通信設定が完了した旨を示す音声を出力するように端末装置１の音声出力部を制御してもよい。または、制御部１００は、端末装置１のバイブレーション機能を作動させてもよいし、端末装置１のインジケータランプ（図示略）を点灯（点滅を含む）させてもよい。
【０１２８】
なお、制御部２００は、車両２に設けられたランプ（図示略。例えば、ルームランプ、ハザードランプ等）を点灯（点滅を含む）させてもよい。
【０１２９】
以上説明したように、本変形例によれば、端末装置１のユーザは、車両２のドアが解錠されたことや、通信設定が完了したことを認識できる。
【０１３０】
［変形例５］
実施の形態および変形例２では、ユーザにより解錠指示操作が行われた場合、それ以降にユーザの操作を要することなく、車両２のドアの解錠とともに通信設定が行われる場合を例に挙げて説明したが、これに限定されない。
【０１３１】
例えば、解錠指示操作が行われた場合、第１鍵情報および第１無線接続情報を車両２へ送信する前に、端末装置１の制御部１００は、通信設定を実行してよいか否かをユーザに問い合わせる画面（以下、問い合わせ画面という）を表示するように表示部１６０を制御してもよい。問い合わせ画面には、例えば、通信設定の実行を許可する場合に操作される許可ボタン、通信設定の実行を許可しない場合に操作される非許可ボタンが含まれる。
【０１３２】
許可ボタンが操作された場合、制御部１００は、第１鍵情報および第１無線接続情報を車両２へ送信するように第２無線通信部１３０を制御する。一方、非許可ボタンが操作された場合、制御部１００は、第１鍵情報のみを車両２へ送信するように第２無線通信部１３０を制御する。
【０１３３】
なお、問い合わせ画面が表示されてから、許可ボタンおよび非許可ボタンのいずれも操作されずに一定時間が経過した場合、制御部１００は、第１鍵情報のみを車両２へ送信するように第２無線通信部１３０を制御してもよいし、許可ボタンまたは非許可ボタンを操作するようにユーザに促すメッセージを表示するように表示部１６０を制御してもよい。
【０１３４】
また、上記説明では、問い合わせ画面は、解錠指示操作が行われた後、かつ、第１鍵情報および第１無線接続情報の送信前に表示される場合を例に挙げて説明したが。問い合わせ画面の表示タイミングは、これに限定されない。
【０１３５】
例えば、問い合わせ画面は、車両２のドアの解錠後に表示されてもよい。この場合では、解錠指示操作が行われた後、端末装置１の制御部１００は、第１鍵情報のみを車両２へ送信するように第２無線通信部１３０を制御してもよい。そして、車両２の制御部２００は、鍵認証に成功し、車両２のドアの解錠を行った場合、解錠通知情報（変形例４参照）を端末装置１へ送信するように第２無線通信部２３０を制御してもよい。そして、端末装置１の制御部１００は、第２無線通信部１３０により解錠通知情報が受信された場合に、問い合わせ画面を表示するように表示部１６０を制御してもよい。
【０１３６】
また、許可ボタンが操作された場合、制御部１００は、第１無線接続情報に基づいて通信設定を実行するように第３無線通信部１４０を制御してもよい。なお、この場合、制御部１００は、近距離無線通信を用いて、車両２（車載通信装置２５０）に対して第２無線接続情報の要求を行い、車両２から受信した第２無線接続情報を記憶部１１０に記憶させてもよい。
【０１３７】
また、上記説明では、問い合わせ画面が端末装置１に表示される場合を例に挙げて説明したが、問い合わせ画面は、例えば、車載通信装置２５０の出力部２５３に表示されてもよい。
【０１３８】
この場合では、解錠指示操作が行われた後、端末装置１の制御部１００は、第１鍵情報のみを車両２へ送信するように第２無線通信部１３０を制御してもよい。そして、車両２の制御部２００は、鍵認証に成功し、車両２のドアの解錠を行った場合、解錠通知情報（変形例４参照）を車載通信装置２５０の制御部２５１へ出力してもよい。そして、制御部２５１は、解錠通知情報を受け取った場合に、問い合わせ画面を表示するように出力部２５３を制御してもよい。
【０１３９】
そして、許可ボタンが操作された場合、例えば、制御部２５１は、第１無線接続情報を要求する旨の要求情報を制御部２００へ出力し、制御部２００は、その要求情報を端末装置１へ送信するように第２無線通信部２３０を制御する。端末装置１の制御部１００は、第２無線通信部１３０が車両２から要求情報を受信した場合、第１無線接続情報を車両２へ送信するように第２無線通信部１３０を制御する。そして、車両２の第２無線通信部２３０は、端末装置１から第１無線接続情報を受信する。この第１無線接続情報は、車載通信装置２５０の記憶部２５２に記憶される。
【０１４０】
または、許可ボタンが操作された場合、例えば、車両２の制御部２００は、第１無線接続情報に基づいて通信設定を実行するように車載通信装置２５０を制御してもよい。
【０１４１】
一方、非許可ボタンが操作された場合、制御部２５１は、第１無線接続情報を要求しない旨の非要求情報を制御部２００へ出力し、制御部２００は、その非要求情報を端末装置１へ送信するように第２無線通信部２３０を制御する。端末装置１の制御部１００は、第２無線通信部１３０が車両２から非要求情報を受信した場合、第１無線接続情報の送信を行わない。
【０１４２】
また、上記説明において、問い合わせ画面が表示されてから、許可ボタンおよび非許可ボタンのいずれも操作されずに一定時間が経過した場合、制御部２５１は、許可ボタンまたは非許可ボタンを操作するようにユーザに促すメッセージを表示するように出力部２５３を制御してもよい。
【０１４３】
本変形例によれば、ユーザが端末装置と車載通信装置２５０との無線通信を希望する場合に通信設定を実行することができる。
【０１４４】
［変形例６］
実施の形態および各変形例において、端末装置１と車載通信装置２５０との間で行う無線通信の種類をユーザに選択させてもよい。以下、選択可能な通信方法が、Ｗｉ−Ｆｉ（登録商標）通信およびBluetooth（登録商標）通信である場合を例に挙げて説明する。
【０１４５】
例えば、解錠指示操作が行われた場合、第１鍵情報および第１無線接続情報を車両２へ送信する前に、端末装置１の制御部１００は、ユーザが所望の通信方法を選択可能な画面（以下、選択画面という）を表示するように表示部１６０を制御してもよい。
【０１４６】
例えば、選択画面には、Ｗｉ−Ｆｉ（登録商標）通信のみを希望する場合に操作される第１選択ボタン、Bluetooth（登録商標）通信のみを希望する場合に操作される第２選択ボタン、Ｗｉ−Ｆｉ（登録商標）通信およびBluetooth（登録商標）通信の両方を希望する場合に操作される第３選択ボタンが含まれる。
【０１４７】
第１選択ボタンが操作された場合、制御部１００は、第１鍵情報と、Ｗｉ−Ｆｉ（登録商標）接続用の第１無線接続情報とを車両２へ送信するように第２無線通信部１３０を制御する。
【０１４８】
第２選択ボタンが操作された場合、制御部１００は、第１鍵情報と、Bluetooth（登録商標）接続用の第１無線接続情報とを車両２へ送信するように第２無線通信部１３０を制御する。
【０１４９】
第３選択ボタンが操作された場合、制御部１００は、第１鍵情報と、Ｗｉ−Ｆｉ（登録商標）接続用の第１無線接続情報と、Bluetooth（登録商標）接続用の第１無線接続情報とを車両２へ送信するように第２無線通信部１３０を制御する。
【０１５０】
なお、選択画面が表示されてから、いずれの選択ボタンも操作されずに一定時間が経過した場合、制御部１００は、第１鍵情報のみを車両２へ送信するように第２無線通信部１３０を制御してもよい。または、制御部１００は、いずれかの選択ボタンを操作するようにユーザに促すメッセージを表示するように表示部１６０を制御してもよい。
【０１５１】
また、上記説明では、選択画面は、解錠指示操作が行われた後、かつ、第１鍵情報および第１無線接続情報の送信前に表示される場合を例に挙げて説明したが。選択画面の表示タイミングは、これに限定されない。
【０１５２】
例えば、選択画面は、車両２のドアの解錠後に表示されてもよい。この場合では、解錠指示操作が行われた後、端末装置１の制御部１００は、第１鍵情報のみを車両２へ送信するように第２無線通信部１３０を制御してもよい。そして、車両２の制御部２００は、鍵認証に成功し、車両２のドアの解錠を行った場合、解錠通知情報（変形例４参照）を端末装置１へ送信するように第２無線通信部２３０を制御してもよい。そして、端末装置１の制御部１００は、第２無線通信部１３０により解錠通知情報が受信された場合に、選択画面を表示するように表示部１６０を制御してもよい。
【０１５３】
また、選択画面においていずれかの選択ボタンが操作された場合、制御部１００は、選択された無線通信の種類に対応する通信設定を実行するように第３無線通信部１４０を制御してもよい。なお、この場合、制御部１００は、近距離無線通信を用いて、車両２（車載通信装置２５０）に対して選択された無線通信の種類に対応する第２無線接続情報の要求を行い、車両２から受信した第２無線接続情報を記憶部１１０に記憶させてもよい。
【０１５４】
また、上記説明では、選択画面が端末装置１に表示される場合を例に挙げて説明したが、選択画面は、例えば、車載通信装置２５０の出力部２５３に表示されてもよい。
【０１５５】
この場合では、解錠指示操作が行われた後、端末装置１の制御部１００は、第１鍵情報のみを車両２へ送信するように第２無線通信部１３０を制御してもよい。そして、車両２の制御部２００は、鍵認証に成功し、車両２のドアの解錠を行った場合、解錠通知情報（変形例４参照）を車載通信装置２５０の制御部２５１へ出力してもよい。そして、制御部２５１は、解錠通知情報を受け取った場合に、選択画面を表示するように出力部２５３を制御してもよい。
【０１５６】
そして、いずれかの選択ボタンが操作された場合、制御部２５１は、選択された無線通信の種類に対応する第１無線接続情報を要求する旨の要求情報を制御部２００へ出力し、制御部２００は、その要求情報を端末装置１へ送信するように第２無線通信部２３０を制御する。端末装置１の制御部１００は、第２無線通信部１３０が車両２から要求情報を受信した場合、選択された無線通信用の第１無線接続情報を車両２へ送信するように第２無線通信部１３０を制御する。そして、車両２の第２無線通信部２３０は、端末装置１から、選択された無線通信の種類に対応する第１無線接続情報を受信する。
【０１５７】
また、上記説明において、選択画面が表示されてから、いずれの選択ボタンも操作されずに一定時間が経過した場合、制御部２５１は、いずれかの選択ボタンを操作するようにユーザに促すメッセージを表示するように出力部２５３を制御してもよい。
【０１５８】
また、上記説明において、選択画面は、変形例５で説明した問い合わせ画面の表示後、許可ボタンの操作が行われた場合に表示されてもよい。
【０１５９】
または、例えば、選択画面は、例えば、車載通信装置２５０の出力部２５３とは別の車載表示装置（図示略）に表示されてもよい。そして、その車載表示装置に表示された選択画面においていずれかの選択ボタンが操作された場合、例えば、車両２の制御部２００は、選択された無線通信の種類に対応する通信設定を実行するように車載通信装置２５０を制御してもよい。
【０１６０】
本変形例によれば、ユーザが所望の通信方法を選択できるので、より利便性を向上させることができる。
【０１６１】
［変形例７］
実施の形態および各変形例において、車載通信装置２５０に記憶された第１無線接続情報は、例えば、車両２の使用が終了したとき（例えば、車両２が事業者に返却されたとき）に消去されてもよい。
【０１６２】
例えば、カーシェアリングやレンタカーの場合、ユーザが車両２を使用できる時間（以下、使用時間という）は、予め定められている。車両２の制御部２００は、車両２の使用時間が経過した場合、その旨を車載通信装置２５０の制御部２５１に通知する。これにより、制御部２５１は、記憶部２５２に記憶されている第１無線接続情報を消去する。
【０１６３】
［変形例８］
実施の形態および各変形例では、鍵認証を行う移動体が車両である場合を例に挙げて説明したが、車両以外の移動体（例えば、船舶、鉄道、飛行機など）であってもよい。
【０１６４】
以上、変形例について説明した。なお、上述した変形例は、適宜組み合わせてもよい。
【０１６５】
＜本開示のまとめ＞
本開示のまとめは、以下の通りである。
【０１６６】
本開示の通信制御システムは、通信装置が搭載された移動体と、ユーザによって使用される端末装置とにおいて通信を行う通信制御システムであって、前記端末装置は、前記移動体の出入口の解錠を指示する操作が行われた場合、前記解錠の認証に用いられる鍵情報と、前記端末装置と前記通信装置との無線通信の接続を確立する通信設定に必要な前記端末装置の無線接続情報とを、前記無線通信とは異なる他の無線通信により前記移動体へ送信し、前記移動体は、前記鍵情報を用いて前記認証を行い、前記認証に成功した場合に前記移動体の出入口を解錠し、前記通信装置は、前記端末装置の無線接続情報に基づいて、前記通信設定を実行する。
【０１６７】
本開示の端末装置は、移動体に搭載された通信装置と無線通信を行う第１通信部と、前記移動体と前記無線通信とは異なる他の無線通信を行う第２通信部と、前記移動体の出入口の解錠を指示する操作が行われた場合、前記解錠の認証に用いられる鍵情報と、前記無線通信の接続を確立する通信設定に必要な前記端末装置の無線接続情報と、を前記移動体へ送信するように前記第２通信部を制御する制御部と、を有する。
【０１６８】
また、本開示の端末装置において、前記制御部は、前記鍵情報および前記端末装置の無線接続情報を同時に前記移動体へ送信するように前記第２通信部を制御する。
【０１６９】
また、本開示の端末装置において、前記移動体の外部に設けられたサーバ装置と、前記サーバ装置と無線通信を行う第３通信部をさらに有し、前記制御部は、前記端末装置の識別情報を前記サーバ装置へ送信するように前記第３通信部を制御し、前記第３通信部は、前記サーバ装置において前記端末装置の識別情報に基づいて特定された前記端末装置の無線接続情報を受信する。
【０１７０】
また、本開示の端末装置において、前記制御部は、前記通信設定の実行前に、前記通信設定の実行を許可してよいか否かを前記端末装置のユーザに問い合わせる画面を表示するように、前記端末装置の表示部を制御し、前記通信設定の実行を許可する操作が前記ユーザによって行われた場合、前記端末装置の無線接続情報に基づいて前記通信設定を実行するように前記第１通信部を制御する。
【０１７１】
また、本開示の端末装置において、前記制御部は、前記通信設定の実行前に、前記第１通信部が前記通信装置と行う無線通信の種類を前記端末装置のユーザが選択可能な画面を表示するように、前記端末装置の表示部を制御し、前記無線通信の種類を選択する操作が前記ユーザによって行われた場合、選択された種類に対応する無線通信の接続を確立する通信設定を実行するように前記第１通信部を制御する。
【０１７２】
本開示の移動体は、ユーザによって使用される端末装置と無線通信を行う通信装置と、前記端末装置と前記無線通信とは異なる他の無線通信を行う無線通信部と、前記無線通信部が前記端末装置から受信した鍵情報を用いて認証を行い、前記認証に成功した場合に前記移動体の出入口を解錠する制御部と、を有し、前記通信装置は、前記無線通信部が前記端末装置から受信した前記端末装置の無線接続情報に基づいて、前記無線通信の接続を確立する通信設定を実行する。
【０１７３】
本開示の移動体において、前記無線通信部は、前記鍵情報および前記端末装置の無線接続情報を前記端末装置から同時に受信する。
【０１７４】
本開示の移動体は、外部に設けられたサーバ装置とネットワーク通信を行うネットワーク通信部と、ユーザによって使用される端末装置と無線通信を行う通信装置と、前記端末装置と、前記ネットワーク通信および前記無線通信とは異なる他の無線通信を行う無線通信部と、前記無線通信部が前記端末装置から受信した鍵情報を用いて認証を行い、前記認証に成功した場合に前記移動体の出入口を解錠する制御部と、を有し、前記制御部は、前記無線通信部が前記端末装置から受信した前記端末装置の識別情報を前記サーバ装置へ送信するように前記ネットワーク通信部を制御し、前記ネットワーク通信部は、前記サーバ装置において前記端末装置の識別情報に基づいて特定された前記端末装置の無線接続情報を受信し、前記通信装置は、前記ネットワーク通信部が前記サーバ装置から受信した前記端末装置の無線接続情報に基づいて、前記無線通信の接続を確立する通信設定を実行する。
【０１７５】
本開示の移動体において、前記制御部は、前記移動体の出入口の解錠が行われた場合、前記通信設定の実行を許可してよいか否かを前記ユーザに問い合わせる画面を表示するように、前記移動体に搭載された表示装置を制御し、前記通信設定の実行を許可する操作が行われた場合、前記端末装置の無線接続情報に基づいて前記通信設定を実行するように前記通信装置を制御する。
【０１７６】
本開示の移動体において、前記制御部は、前記移動体の出入口の解錠が行われた場合、前記通信装置が前記端末装置と行う無線通信の種類を前記端末装置のユーザが選択可能な画面を表示するように、前記移動体に搭載された表示部を制御し、前記無線通信の種類を選択する操作が行われた場合、選択された種類に対応する無線通信の接続を確立する通信設定を実行するように前記通信装置を制御する。
【０１７７】
本開示のプログラムは、移動体に搭載された通信装置と無線通信を行う第１通信部、および、前記移動体と前記無線通信とは異なる他の無線通信を行う第２通信部を制御するコンピュータに実行させるためのプログラムであって、前記コンピュータに、前記移動体の出入口の解錠を指示する操作が行われた場合、前記解錠の認証に用いられる鍵情報と、前記無線通信の接続を確立する通信設定に必要な前記端末装置の無線接続情報と、を前記移動体へ送信するように前記第２通信部を制御する処理を実行させる。
【０１７８】
本開示のプログラムは、ユーザによって使用される端末装置と無線通信を行う通信装置を有する移動体に搭載され、前記無線通信とは異なる他の無線通信により前記端末装置と通信するコンピュータに実行させるためのプログラムであって、前記コンピュータに、前記他の無線通信によって前記端末装置から受信した鍵情報を用いた認証の結果、前記移動体の出入口が解錠された場合、前記他の無線通信によって前記端末装置から受信した前記端末装置の無線接続情報に基づいて、前記無線通信の接続を確立する通信設定の処理を実行させる。
【産業上の利用可能性】
【０１７９】
本開示の通信制御システム、端末装置、移動体、およびプログラムは、端末装置と車載通信装置との通信設定に有用である。
【符号の説明】
【０１８０】
１  端末装置
２  車両
３  サーバ装置
１００、２００、２５１、３００  制御部
１１０、２１０、２５２、３１０  記憶部
１２０、２２０、３２０  第１無線通信部
１３０、２３０  第２無線通信部
１４０、２５４  第３無線通信部
１５０  操作部
１６０  表示部
２４０  ドアロック部
２５０  車載通信装置
２５３  出力部
Ｓ  通信制御システム
【図１】
2020141199.tif 000003
【図２】
2020141199.tif 000004
【図３】
2020141199.tif 000005
【図４】
2020141199.tif 000006
【図５】
2020141199.tif 000007
【図６】
2020141199.tif 000008